(57)【要約】【課題】無線通信システムにおいて、アップリンクの無線リソースが無駄に使われるのを抑えること。【解決手段】パイロット信号電力測定部１は、受信信号に含まれるパイロット信号の電力を測定する。受信電力測定部２は、受信信号の受信電力、受信信号のうちのパイロット信号が配置される第１サブキャリアの電力、及び受信信号のうちのパイロット信号以外の信号が配置される第２サブキャリアの電力を測定する。受信信号品質測定部３は、パイロット信号の電力の測定値及び受信信号の受信電力の測定値に基づいて受信信号の品質を測定する。セル判定部４は、第１サブキャリアの電力の測定値及び第２サブキャリアの電力の測定値に基づいて閾値を補正し、受信信号の品質の測定値を閾値の補正値と比較して、受信信号に対応すると推定されるセルが有効であるか無効であるかを判定する。【選択図】図１
2014123856.tif 000002
【特許請求の範囲】
【請求項１】
受信信号に含まれるパイロット信号の電力を測定するパイロット信号電力測定部と、
前記受信信号の受信電力、前記受信信号のうちの前記パイロット信号が配置される第１サブキャリアの電力、及び前記受信信号のうちの前記パイロット信号以外の信号が配置される第２サブキャリアの電力を測定する受信電力測定部と、
前記パイロット信号の電力の測定値及び前記受信信号の受信電力の測定値に基づいて前記受信信号の品質を測定する受信信号品質測定部と、
予め設定された閾値と、
前記第１サブキャリアの電力の測定値及び前記第２サブキャリアの電力の測定値に基づいて前記閾値を補正し、前記受信信号の品質の測定値を前記閾値の補正値と比較するか、または前記第１サブキャリアの電力の測定値及び前記第２サブキャリアの電力の測定値に基づいて前記受信信号の品質の測定値を補正し、前記受信信号の品質の測定値の補正値を前記閾値と比較することによって、前記受信信号に対応すると推定されるセルが有効であるか無効であるかを判定するセル判定部と、
を備えることを特徴とする移動通信端末。
【請求項２】
前記受信信号の品質の測定値は、前記受信信号の受信電力の測定値に対する前記パイロット信号の電力の測定値の値であるか、または前記受信信号の受信電力の測定値に対する前記パイロット信号の電力の測定値の値に測定帯域におけるサブキャリアの数を乗じた値であることを特徴とする請求項１に記載の移動通信端末。
【請求項３】
受信信号に含まれるパイロット信号の電力を測定するパイロット信号電力測定部と、
前記受信信号の受信電力、及び前記受信信号のうちの前記パイロット信号が配置されるサブキャリアの電力を測定する受信電力測定部と、
前記パイロット信号の電力の測定値及び前記受信信号の受信電力の測定値に基づいて前記受信信号の品質を測定する受信信号品質測定部と、
予め設定された閾値と、
前記パイロット信号が配置されるサブキャリアの電力の測定値に対する前記パイロット信号の電力の測定値の値を前記閾値と比較して、前記受信信号に対応すると推定されるセルが有効であるか無効であるかを判定するセル判定部と、
を備えることを特徴とする移動通信端末。
【請求項４】
受信信号に含まれるパイロット信号の電力、前記受信信号の受信電力、前記受信信号のうちの前記パイロット信号が配置される第１サブキャリアの電力、及び前記受信信号のうちの前記パイロット信号以外の信号が配置される第２サブキャリアの電力を測定し、
前記パイロット信号の電力の測定値及び前記受信信号の受信電力の測定値に基づいて前記受信信号の品質を測定し、
前記第１サブキャリアの電力の測定値及び前記第２サブキャリアの電力の測定値に基づいて、予め設定された閾値を補正し、前記受信信号の品質の測定値を前記閾値の補正値と比較するか、または前記第１サブキャリアの電力の測定値及び前記第２サブキャリアの電力の測定値に基づいて前記受信信号の品質の測定値を補正し、前記受信信号の品質の測定値の補正値を、予め設定された閾値と比較することによって、前記受信信号に対応すると推定されるセルが有効であるか無効であるかを判定することを特徴とするセル判定方法。
【請求項５】
受信信号に含まれるパイロット信号の電力、前記受信信号の受信電力、及び前記受信信号のうちの前記パイロット信号が配置されるサブキャリアの電力を測定し、
前記パイロット信号の電力の測定値及び前記受信信号の受信電力の測定値に基づいて前記受信信号の品質を測定し、
前記パイロット信号が配置されるサブキャリアの電力の測定値に対する前記パイロット信号の電力の測定値の値を、予め設定された閾値と比較して、前記受信信号に対応すると推定されるセルが有効であるか無効であるかを判定することを特徴とするセル判定方法。
【発明の詳細な説明】
【技術分野】
【０００１】
この発明は、移動通信端末及びセル判定方法に関する。
【背景技術】
【０００２】
従来、信号の受信品質に基づいてハンドオーバ条件を設定することによって、不必要なハンドオーバ条件の成立を抑制し、基地局への報告の発生を抑制する移動局がある（例えば、特許文献１参照）。また、基地局から送信された優先度情報に従って接続先のセルを選択する移動局がある（例えば、特許文献２参照）。
【０００３】
また、在圏セルからの信号の受信品質と在圏セルの隣接セルからの信号の受信品質とに基づいて、接続先のセルを再選択する移動局がある（例えば、特許文献３参照）。また、基地局からの指示に基づいて移動局が接続先のセルを再選択することによって、周波数帯域間の負荷の平衡化を図る技術がある（例えば、特許文献４参照）。
【０００４】
また、移動局で測定した信号の受信品質の情報と移動局の位置情報とを基地局へ送信し、基地局から移動局の位置情報に対応したセルごとの品質情報を受け取り、受け取った品質情報に基づいて接続先のセルを選択する移動局がある（例えば、特許文献５参照）。また、信号の受信品質に基づいて自局の移動状態を認識し、自局の移動状態に応じて、接続先として有効なセルであるか否かを判定する条件を可変制御する移動局がある（例えば、特許文献６参照）。
【先行技術文献】
【特許文献】
【０００５】
【特許文献１】特開２０１１−１９０７４号公報
【特許文献２】特開２０１０−２６８５１２号公報
【特許文献３】特開２０１０−２７３３８１号公報
【特許文献４】特開２０１１−６１４５６号公報
【特許文献５】特開２０１１−１０９４０１号公報
【特許文献６】特開２００３−２５９４１６号公報
【発明の概要】
【発明が解決しようとする課題】
【０００６】
従来、移動局は、セルサーチにおいて雑音の影響などによって存在しないセルを誤検出することがある。誤検出されたセルは、移動局の接続先の対象にならない。従って、移動局は、誤検出したセルに対して信号の受信品質を測定し、その結果を基地局へ報告する必要はない。しかしながら、従来の移動局は、誤検出したセルに対しても信号の受信品質を測定し、その測定結果を基地局へ報告する。そのため、移動局から基地局へのアップリンクの無線リソースが無駄に使われてしまうという問題点がある。
【０００７】
アップリンクの無線リソースが無駄に使われるのを抑えることができる移動通信端末及びセル判定方法を提供することを目的とする。
【課題を解決するための手段】
【０００８】
移動通信端末は、パイロット信号電力測定部、受信電力測定部、受信信号品質測定部、閾値及びセル判定部を備える。移動通信端末には、閾値が予め設定されている。パイロット信号電力測定部は、受信信号に含まれるパイロット信号の電力を測定する。受信電力測定部は、受信信号の受信電力、受信信号のうちのパイロット信号が配置される第１サブキャリアの電力、及び受信信号のうちのパイロット信号以外の信号が配置される第２サブキャリアの電力を測定する。受信信号品質測定部は、パイロット信号の電力の測定値及び受信信号の受信電力の測定値に基づいて受信信号の品質を測定する。セル判定部は、第１サブキャリアの電力の測定値及び第２サブキャリアの電力の測定値に基づいて閾値を補正し、受信信号の品質の測定値を閾値の補正値と比較して、受信信号に対応すると推定されるセルが有効であるか無効であるかを判定してもよい。あるいは、セル判定部は、第１サブキャリアの電力の測定値及び第２サブキャリアの電力の測定値に基づいて受信信号の品質の測定値を補正し、受信信号の品質の測定値の補正値を閾値と比較して、受信信号に対応すると推定されるセルが有効であるか無効であるかを判定してもよい。
【０００９】
セル判定方法は、受信信号に含まれるパイロット信号の電力、受信信号の受信電力、受信信号のうちのパイロット信号が配置される第１サブキャリアの電力、及び受信信号のうちのパイロット信号以外の信号が配置される第２サブキャリアの電力を測定する。セル判定方法は、パイロット信号の電力の測定値及び受信信号の受信電力の測定値に基づいて受信信号の品質を測定する。セル判定方法は、予め設定された閾値を補正し、受信信号の品質の測定値を閾値の補正値と比較するか、または受信信号の品質の測定値を補正し、受信信号の品質の測定値の補正値を、予め設定された閾値と比較することによって、受信信号に対応すると推定されるセルが有効であるか無効であるかを判定する。
【発明の効果】
【００１０】
この移動通信端末及びセル判定方法によれば、アップリンクの無線リソースが無駄に使われるのを抑えることができるという効果を奏する。
【図面の簡単な説明】
【００１１】
【図１】図１は、実施の形態にかかる移動通信端末におけるセル判定を行うブロックの一例を示す図である。
【図２】図２は、実施の形態にかかるセル判定方法の第１の例を示す図である。
【図３】図３は、ＯＦＤＭ信号の一マッピングパターンを時間と周波数領域の２次元で示す図である。
【図４】図４は、ＯＦＤＭ信号の別のマッピングパターンを時間と周波数領域の２次元で示す図である。
【図５】図５は、フルロードケースの場合の１ＯＦＤＭシンボルにおける周波数領域の信号の電力分布を示す図である。
【図６】図６は、ＤＴＸケースの場合の１ＯＦＤＭシンボルにおける周波数領域の信号の電力分布を示す図である。
【図７】図７は、ｅＩＣＩＣを説明する図である。
【図８】図８は、ｅＩＣＩＣにおける１ＯＦＤＭシンボルにおける周波数領域の合成信号の電力分布を示す図である。
【図９】図９は、実施の形態にかかる移動通信端末における受信機の一例を示す図である。
【図１０】図１０は、実施の形態にかかる移動通信端末におけるセルサーチ・レベル測定部の一例を示す図である。
【図１１】図１１は、実施の形態にかかる移動通信端末におけるレベル測定部の一例を示す図である。
【図１２】図１２は、実施の形態にかかる移動通信端末におけるＲＳＲＰ部の一例を示す図である。
【図１３】図１３は、実施の形態にかかる移動通信端末におけるＲＳＳＩ部の第１の例を示す図である。
【図１４】図１４は、実施の形態にかかるセル判定方法の第２の例を示す図である。
【図１５】図１５は、実施の形態にかかるセル判定方法の第３の例を示す図である。
【図１６】図１６は、実施の形態にかかる移動通信端末におけるＲＳＳＩ部の第２の例を示す図である。
【図１７】図１７は、実施の形態にかかるセル判定方法の第４の例を示す図である。
【発明を実施するための形態】
【００１２】
以下に添付図面を参照して、この移動通信端末及びセル判定方法の好適な実施の形態を詳細に説明する。以下の各実施例の説明においては、同様の構成要素には同一の符号を付して、重複する説明を省略する。
【００１３】
・移動通信端末のセル判定を行うブロックの一例
図１は、実施の形態にかかる移動通信端末におけるセル判定を行うブロックの一例を示す図である。図１に示すように、移動通信端末のセル判定を行うブロックは、パイロット信号電力測定部１、受信電力測定部２、受信信号品質測定部３、閾値及びセル判定部４を備える。移動通信端末には、閾値が予め設定されている。
【００１４】
パイロット信号電力測定部１は、受信信号に含まれるパイロット信号の電力を測定する。受信電力測定部２は受信信号の受信電力を測定する。受信電力測定部２は、受信信号のうちのパイロット信号が配置される第１サブキャリアの電力を測定する。受信電力測定部２は、受信信号のうちのパイロット信号以外の信号が配置される第２サブキャリアの電力を測定する。
【００１５】
受信信号品質測定部３は、パイロット信号の電力の測定値及び受信信号の受信電力の測定値に基づいて受信信号の品質、すなわち受信品質を測定する。セル判定部４は、第１サブキャリアの電力の測定値及び第２サブキャリアの電力の測定値に基づいて閾値を補正してもよい。そして、セル判定部４は、受信品質の測定値を閾値の補正値と比較して、受信信号に対応すると推定されるセルが有効であるか無効であるかを判定してもよい。
【００１６】
あるいは、セル判定部４は、第１サブキャリアの電力の測定値及び第２サブキャリアの電力の測定値に基づいて受信品質の測定値を補正してもよい。そして、セル判定部４は、受信品質の測定値の補正値を閾値と比較して、受信信号に対応すると推定されるセルが有効であるか無効であるかを判定してもよい。
【００１７】
パイロット信号電力測定部１、受信電力測定部２、受信信号品質測定部３またはセル判定部４は、それぞれの動作を行う専用の例えばデジタル回路によって実現されてもよい。また、パイロット信号電力測定部１、受信電力測定部２、受信信号品質測定部３またはセル判定部４は、例えば後述するセル判定方法を実現するプログラムをプロセッサが実行することによって実現されてもよい。プロセッサの一例として、ＣＰＵ（Ｃｅｎｔｒａｌ  Ｐｒｏｃｅｓｓｉｎｇ  Ｕｎｉｔ、中央処理装置）やＤＳＰ（Ｄｉｇｉｔａｌ  Ｓｉｇｎａｌ  Ｐｒｏｃｅｓｓｏｒ、デジタルシグナルプロセッサ）が挙げられる。
【００１８】
ここで、閾値の補正または受信品質の測定値の補正が行われないとした場合の不具合について説明する。
【００１９】
例えば、移動通信端末がセルサーチによって、存在する第１のセル及び存在しない第２のセルを検出するとする。このような場合において、第１のセルが送信する信号におけるパイロット信号の配置パターンと、第２のセルが送信する信号におけるパイロット信号の配置パターンとが同じであることがある。この場合、移動通信端末は、第１のセルが送信する信号におけるパイロット信号を用いて、第２のセルから送信される信号の受信品質を測定する。
【００２０】
例えばセルから送信される信号の全サブキャリアにデータがマッピングされているフルロードケース（Ｆｕｌｌ−Ｌｏａｄ  ｃａｓｅ）に対して、閾値が設定されることがある。判定対象のセルから送信される信号がフルロードケースの信号である場合、移動通信端末は、判定対象のセルから送信される信号の受信品質の測定値がこの閾値よりも大きい場合に有効なセルであり、受信品質の測定値がこの閾値以下である場合に無効なセルである、と正しく判定することができる。
【００２１】
しかし、判定対象のセルから送信される信号が、制御信号などのシステム上の最小限のデータがマッピングされているＤＴＸケース（Ｄｉｓｃｏｎｔｉｎｕｏｕｓ  Ｔｒａｎｓｍｉｓｓｉｏｎ  ｃａｓｅ）であることがある。ＤＴＸケースの信号の受信品質の測定値は、フルロードケースの信号の受信品質の測定値よりも大きくなる。そのため、ＤＴＸケースの信号の受信品質の測定値が、フルロードケースに対して設定される閾値を超えてしまうことがある。
【００２２】
この場合、閾値が補正されないとすると、移動通信端末がＤＴＸケースの信号を受信し、その受信品質の測定値に基づいて第２のセルの有効または無効を判定すると、存在しない第２のセルを存在する有効なセルであると誤判定してしまうことになる。ＤＴＸケースに限らず、移動通信端末がフルロードケース以外の信号を受信する場合も同様である。閾値の補正の代わりに受信品質の測定値が補正されない場合も、同様に誤判定が起こる。そして、移動通信端末は、存在しない第２のセルに対する受信品質の測定結果を基地局へ報告するため、基地局へのアップリンクの無線リソースが無駄に使われてしまう。
【００２３】
ＤＴＸケースに対して閾値が設定されており、フルロードケースの信号に対する受信品質の測定値に基づいてセルの有効または無効を判定する場合も同様である。この場合は、フルロードケースの信号の受信品質の測定値は、ＤＴＸケースの信号の受信品質の測定値よりも小さくなる。そのため、フルロードケースの信号の受信品質の測定値が、ＤＴＸケースに対して設定される閾値以下になってしまうことによって、誤判定が起こる。フルロードケースに限らず、移動通信端末がＤＴＸケース以外の信号を受信する場合も同様である。
【００２４】
それに対して、図１に示す移動通信端末によれば、パイロット信号が配置される第１サブキャリアの電力の測定値、及びパイロット信号以外の信号が配置される第２サブキャリアの電力の測定値に基づいて、閾値または受信品質の測定値が補正される。それによって、フルロードケースに対して閾値が設定される場合、フルロードケース以外の信号の受信品質の測定値が閾値よりも大きくなるのを防ぎ、存在しないセルを有効なセルであると誤判定することを防ぐことができる。また、ＤＴＸケースに対して閾値が設定される場合には、ＤＴＸケース以外の信号の受信品質の測定値が閾値以下になるのを防ぎ、存在しないセルを有効なセルであると誤判定することを防ぐことができる。従って、存在しないセルの受信品質の測定結果を基地局へ報告するのを防ぐことができるため、アップリンクの無線リソースが無駄に使われるのを抑えることができる。
【００２５】
・セル判定方法の第１の例
図２は、実施の形態にかかるセル判定方法の第１の例を示す図である。図２に示すセル判定方法は、例えば図１に示す移動通信端末によって実施されてもよい。本実施例では、図２に示すセル判定方法が図１に示す移動通信端末によって実施されるとして説明する。
【００２６】
図２に示すように、図１に示す移動通信端末によってセル判定方法が開始されると、まず、移動通信端末は、セルサーチによって検出されたセルに対して、パイロット信号電力測定部１によって、受信信号に含まれるパイロット信号の電力を測定する。また、移動通信端末は、受信電力測定部２によって、受信信号の受信電力、受信信号のうちのパイロット信号が配置される第１サブキャリアの電力、及び受信信号のうちのパイロット信号以外の信号が配置される第２サブキャリアの電力を測定する（ステップＳ１）。
【００２７】
次いで、移動通信端末は、受信信号品質測定部３によって、パイロット信号の電力の測定値及び受信信号の受信電力の測定値に基づいて受信信号の品質を測定する（ステップＳ２）。次いで、移動通信端末は、例えばセル判定部４によって、第１サブキャリアの電力の測定値及び第２サブキャリアの電力の測定値に基づいて、予め設定された閾値を補正する（ステップＳ３）。なお、ステップＳ２とステップＳ３とは、いずれが先でもよいし、同時でもよい。
【００２８】
次いで、移動通信端末は、例えばセル判定部４によって、受信信号の品質の測定値を閾値の補正値と比較し、受信信号の品質の測定値が閾値の補正値よりも大きいか否かを判定する（ステップＳ４）。受信信号の品質の測定値が閾値の補正値よりも大きい場合（ステップＳ４：Ｙｅｓ）、移動通信端末は、セル判定部４によって、セルサーチによって検出されたセルが有効であると判定する（ステップＳ５）。
【００２９】
一方、受信信号の品質の測定値が閾値の補正値よりも大きくない場合（ステップＳ４：Ｎｏ）、移動通信端末は、セル判定部４によって、セルサーチによって検出されたセルが無効であると判定する（ステップＳ６）。セルの判定が終了したら、一連のセル判定方法が終了する。
【００３０】
なお、ステップＳ３において、移動通信端末は、例えばセル判定部４によって、第１サブキャリアの電力の測定値及び第２サブキャリアの電力の測定値に基づいて受信品質の測定値を補正してもよい。その場合、ステップＳ４において、移動通信端末は、セル判定部４によって、受信品質の測定値の補正値を閾値と比較して、セルサーチによって検出されたセルが有効であるか無効であるかを判定してもよい（ステップＳ５、ステップＳ６）。
【００３１】
図２に示すセル判定方法によれば、パイロット信号が配置される第１サブキャリアの電力の測定値、及びパイロット信号以外の信号が配置される第２サブキャリアの電力の測定値に基づいて、閾値または受信品質の測定値が補正される。それによって、図１に示す移動通信端末と同様に、存在しないセルを有効なセルであると誤判定することを防ぐことができる。従って、存在しないセルの受信品質の測定結果を基地局へ報告するのを防ぐことができるため、アップリンクの無線リソースが無駄に使われるのを抑えることができる。
【００３２】
・ＬＴＥシステムへの適用例
図１に示す移動通信端末及び図２に示すセル判定方法の適用例として、例えばＬＴＥ（Ｌｏｎｇ  Ｔｅｒｍ  Ｅｖｏｌｕｔｉｏｎ、ロングタームエボリューション）システムが挙げられる。これ以降、ＬＴＥシステムへの適用例について説明する。
【００３３】
ＬＴＥシステムでは、移動通信端末は、セル判定を行う際に、セルサーチによって検出されるセルに対して、ＲＳＲＰ（Ｒｅｆｅｒｅｎｃｅ  Ｓｉｇｎａｌ  Ｒｅｃｅｉｖｅｄ  Ｐｏｗｅｒ、基準信号受信電力）及びＲＳＲＱ（Ｒｅｆｅｒｅｎｃｅ  Ｓｉｇｎａｌ  Ｒｅｃｅｉｖｅｄ  Ｑｕａｌｉｔｙ、基準信号受信品質）を測定する。ＲＳ（Ｒｅｆｅｒｅｎｃｅ  Ｓｉｇｎａｌ、基準信号）は、既知信号であり、パイロット信号の一例である。ＲＳＲＰはＲＳの電力の一例である。ＲＳＲＱは受信信号の品質の一例である。
【００３４】
ＬＴＥシステムの下りリンクの無線アクセス方式はＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、直交波周波数分割多重）である。
【００３５】
図３は、ＯＦＤＭ信号の一マッピングパターンを時間と周波数領域の２次元で示す図であり、図４は、ＯＦＤＭ信号の別のマッピングパターンを時間と周波数領域の２次元で示す図である。
【００３６】
図３及び図４において、個々の四角（□）はＲＥ（Ｒｅｓｏｕｒｃｅ  Ｅｌｅｍｅｎｔ、リソースエレメント）である。図３及び図４において、ハッチングが付されたＲＥ１１，１２には、ＲＳがマッピングされる。図３及び図４において、ハッチングが付されていないＲＥ１３，１４には、データなど、ＲＳ以外の信号がマッピングされる。ＲＳは、基地局固有のパターン系列になっている。従って、移動通信端末は、測定したい基地局に関するＲＳ系列を用いてＲＳＲＰ及びＲＳＲＱを測定する。
【００３７】
図５は、フルロードケースの場合の１ＯＦＤＭシンボルにおける周波数領域の信号の電力分布を示す図である。図６は、ＤＴＸケースの場合の１ＯＦＤＭシンボルにおける周波数領域の信号の電力分布を示す図である。一例として、図５及び図６に示す信号の配列は、例えば図３に示すＯＦＤＭ信号のマッピングパターンの左端、すなわち時刻０における配列に対応する。
【００３８】
図５及び図６において、測定帯域に渡る電力はノイズによる電力２１である。ノイズによる電力２１の上のハッチングが付された電力は、ＲＳがマッピングされるＲＥ１１の電力２２である。ノイズによる電力２１の上のハッチングが付されていない電力は、ＲＳ以外の信号がマッピングされるＲＥ１３の電力２３である。ＤＴＸケースでは、ＲＳ以外の信号がマッピングされるＲＥ１３にデータがマッピングされていないため、電力は、ノイズによる電力２１、及びＲＳがマッピングされるＲＥ１１の電力２２となる。
【００３９】
ＲＳＲＰは、ＲＳがマッピングされるＲＥ１１の電力２２の１つ分の平均である。ＲＳＲＱは、ＲＳＲＰとＲＳＳＩ（Ｒｅｃｅｉｖｅｄ  Ｓｉｇｎａｌ  Ｓｔｒｅｎｇｔｈ  Ｉｎｄｉｃａｔｏｒ、受信信号強度）とから算出される。ＲＳＳＩは、測定帯域の全受信電力であり、受信信号の受信電力の一例である。例えば図５に示す例では、ＲＳＳＩは、ノイズによる電力２１、ＲＳがマッピングされるＲＥ１１の電力２２、及びＲＳ以外の信号がマッピングされるＲＥ１３の電力２３を合わせた面積に等しい。
【００４０】
３ＧＰＰ（３ｒｄ  Ｇｅｎｅｒａｔｉｏｎ  Ｐａｒｔｎｅｒｓｈｉｐ  Ｐｒｏｊｅｃｔ、第３世代移動体通信システムの標準化プロジェクト）において、ＲＳＲＱは次の（１）式で定義される。ただし、Ｎは、測定帯域におけるＲＢ（Ｒｅｓｏｕｒｃｅ  Ｂｌｏｃｋ、リソースブロック）の数である。
【００４１】
【数１】
2014123856.tif 000003
【００４２】
ところで、ＬＴＥの進化版であるＬＴＥ−Ａｄｖａｎｃｅｄでは、ｅＩＣＩＣ（ｅｎｈａｎｃｅｄ  Ｉｎｔｅｒ−Ｃｅｌｌ  Ｉｎｔｅｒｆｅｒｅｎｃｅ  Ｃｏｏｒｄｉｎａｔｉｏｎ）と呼ばれるセル間干渉制御技術が採用される。
【００４３】
図７は、ｅＩＣＩＣを説明する図である。図７に示すように、移動通信端末３１が第１の基地局（ｅＮＢ＃１）３２と通信する場合、隣接セルの第２の基地局（ｅＮＢ＃２）３３から送信される他ユーザ向けの信号が干渉になる。ｅＩＣＩＣによれば、ある時間帯において、第２の基地局３３が信号を送信しないことによって、第１の基地局３２と通信している移動通信端末３１への干渉が低減される。
【００４４】
ＬＴＥ−Ａｄｖａｎｃｅｄでは、ＡＢＳ（Ａｌｍｏｓｔ  Ｂｌａｎｋ  Ｓｕｂｆｒａｍｅ、オールモストブランクサブフレーム）と呼ばれるサブフレームが用意される。ＡＢＳでは、干渉元となる信号がほとんど送信されない。第２の基地局３３がＡＢＳを用いることによって、第１の基地局３２と通信している移動通信端末３１への干渉が低減される。第２の基地局３３においてＡＢＳが設定されたサブフレーム３４において、移動通信端末３１は、第１の基地局３２の、図７においてハッチングが付されたサブフレーム３５に含まれるＲＳに基づいて、ＲＳＲＰ及びＲＳＲＱを測定する。
【００４５】
例えば、第１の基地局３２におけるＯＦＤＭ信号のマッピングパターンが図３に示すパターンであり、第２の基地局３３におけるＯＦＤＭ信号のマッピングパターンが図４に示すパターンであるとする。また、図４に示す第２の基地局３３におけるＯＦＤＭ信号のマッピングパターンが、ＡＢＳに設定されたサブフレームのパターンであるとする。
【００４６】
ＡＢＳに設定されたサブフレームにおいて、ＲＳがマッピングされるＲＥ１２にはＲＳがマッピングされ、ＲＳ以外の信号がマッピングされるＲＥ１４は、データがマッピングされていないヌルになる。従って、ＡＢＳに設定されたサブフレームでは、ＲＳなどの制御信号のみが送信される。
【００４７】
この場合、移動通信端末３１が第１の基地局３２から受信する信号の電力は小さく、干渉元である第２の基地局３３から受信する信号の電力は大きい。そのため、移動通信端末３１が実際に受信する第１の基地局３２と第２の基地局３３との合成信号において、第２の基地局３３のＲＳがマッピングされるＲＥ１２の電力が大きくなる。
【００４８】
図８は、ｅＩＣＩＣにおける１ＯＦＤＭシンボルにおける周波数領域の合成信号の電力分布を示す図である。一例として、図８に示す信号の配列は、例えば図３及び図４に示すＯＦＤＭ信号のマッピングパターンの左端、すなわち時刻０における配列に対応する。
【００４９】
図８に示すように、移動通信端末３１が実際に受信する合成信号の電力分布は、測定帯域に渡るノイズによる電力４１の上に、第１の基地局３２からのＲＳの電力４２及び第１の基地局３２からのＲＳ以外の信号の電力４３が載るような分布となる。さらに、合成信号の電力分布は、第１の基地局３２からの信号の電力４２，４３の上に、第２の基地局３３からのＲＳの電力４４が載るような分布となる。
【００５０】
図８における第２の基地局３３からのＲＳの電力４４を、図６におけるＲＳがマッピングされるＲＥ１１の電力２２に対応させ、図８におけるノイズによる電力４１及び第１の基地局３２からのＲＳの電力４２を、図６におけるノイズによる電力２１に対応させるとする。そうすると、図８に示す電力の分布は、図６に示すＤＴＸケースの場合の電力分布と同様となる。そこで、これ以降の実施例では、図８に示すｅＩＣＩＣにおけるＡＢＳでのケースも含めて、ＤＴＸケースとする。
【００５１】
・移動通信端末の受信機の一例
図９は、実施の形態にかかる移動通信端末における受信機の一例を示す図である。図９に示すように、移動通信端末の受信機は複数の受信ブロック５１を有していてもよい。各受信ブロック５１はアンテナ５２、ＲＦ（Ｒａｄｉｏ  Ｆｒｅｑｕｅｎｃｙ、高周波）部５３及びＡＤＣ（Ａｎａｌｏｇ−ｔｏ−Ｄｉｇｉｔａｌ  Ｃｏｎｖｅｒｔｅｒ、アナログデジタル変換器）５４を有する。
【００５２】
各受信ブロック５１において、ＲＦ部５３はアンテナ５２に接続されており、ＡＤＣ５４はＲＦ部５３に接続されている。ＲＦ部５３は、アンテナ５１によって受信される無線信号から所望の周波数帯の信号を得る。ＲＦ部５３は所望の周波数帯の信号をダウンコンバージョンする。ＡＤＣ５４は、ＲＦ部５３から出力される所望の周波数帯の信号をデジタルベースバンド帯の信号に変換する。
【００５３】
また、受信機は復調部５５、復号部５６及びセルサーチ・レベル測定部５７を有する。復調部５５は各受信ブロック５１のＡＤＣ５４に接続されている。復調部５５は、ＡＤＣ５４から出力されるデジタルベースバンド帯の信号を復調する。復号部５６は復調部５５に接続されている。復号部５６は、復調部５５から出力される信号を復号する。
【００５４】
セルサーチ・レベル測定部５７は各受信ブロック５１のＡＤＣ５４に接続されている。セルサーチ・レベル測定部５７は、ＡＤＣ５４から出力されるデジタルベースバンド帯の信号を用いて、セルサーチを行う。セルサーチ・レベル測定部５７は、セルサーチによって検出される各セルの受信品質を測定し、各セルが有効であるか無効であるかを判定する。
【００５５】
図９において無線部５８として破線で囲む各受信ブロック５１のＲＦ部５３は、例えばアナログ回路によって実現されてもよい。また、図９においてベースバンド部５９として破線で囲む復調部５５、復号部５６及びセルサーチ・レベル測定部５７は、例えばデジタル回路によって実現されてもよいし、後述するセル判定方法を実現するプログラムをプロセッサが実行することによって実現されてもよい。プロセッサの一例として、ＣＰＵやＤＳＰが挙げられる。
【００５６】
・セルサーチ・レベル測定部の一例
図１０は、実施の形態にかかる移動通信端末におけるセルサーチ・レベル測定部の一例を示す図である。図１０に示すように、セルサーチ・レベル測定部５７はセルサーチ部６１、レベル測定部６２及び制御部６３を有する。
【００５７】
セルサーチ部６１は各受信ブロック５１のＡＤＣ５４に接続されている。セルサーチ部６１は、隣接セルを含む複数のセルの基地局を検出する。セルサーチ部６１によって、例えば各セルの受信フレームタイミングまたはセルＩＤなどの情報が検出されてもよい。
【００５８】
レベル測定部６２はセルサーチ部６１に接続されている。レベル測定部６２は、セルサーチ部６１によるセルサーチによって検出される情報、例えば受信フレームタイミングやセルＩＤなどの情報に基づいて各セルの受信品質を測定する。
【００５９】
制御部６３はレベル測定部６２に接続されている。制御部６３は、レベル測定部６２から出力される各セルの受信品質の測定値に基づいて、在圏しているセルとは別のセルにハンドオーバするか否かを判断する。制御部６３は、受信品質の測定結果を基地局に報告する制御を行う。
【００６０】
・レベル測定部の一例
図１１は、実施の形態にかかる移動通信端末におけるレベル測定部の一例を示す図である。図１１に示すように、レベル測定部６２は、ＲＳＲＰ部７１、ＲＳＳＩ部７２、ＲＳＲＱ部７３、セル判定部７４及び報告値生成部７５を有していてもよい。閾値は例えばセル判定部７４において設定されていてもよい。閾値は、フルロードケースに対して設定されていてもよいし、ＤＴＸケースに対して設定されていてもよい。本実施例では、フルロードケースに対して閾値が設定されているとして説明する。
【００６１】
ＲＳＲＰ部７１はセルサーチ部６１に接続されている。ＲＳＲＰ部７１は、セルサーチ部６１によるセルサーチによって検出されるセルの受信信号に基づいてＲＳＲＰを測定する。ＲＳＲＰ部７１はパイロット信号電力測定部の一例である。図１２にＲＳＲＰ部７１の一例を示す。
【００６２】
図１２は、実施の形態にかかる移動通信端末におけるＲＳＲＰ部の一例を示す図である。図１２に示すように、ＲＳＲＰ部７１は、相関演算部８１、平均部８２及びＲＳＲＰ算出部８３を有する。
【００６３】
相関演算部８１はセルサーチ部６１に接続されている。相関演算部８１は、セルサーチ部６１によるセルサーチによって検出されるセルの受信信号に対して、セルサーチによって得られるセルＩＤに対応する基地局のＲＳ系列を用いて相関演算を行う。
【００６４】
平均部８２は相関演算部８１に接続されている。図３または図４に示すように、ＲＳは各時刻で基地局から送信される。平均部８２は、各時刻で相関演算部８１から得られる相関演算結果を平均する。それによって、相関演算による推定精度が向上する。
【００６５】
ＲＳＲＰ算出部８３は平均部８２に接続されている。ＲＳＲＰ算出部８３は、平均部８２から出力される平均後の相関演算結果に基づいてＲＳＲＰを算出する。
【００６６】
図１１において、ＲＳＳＩ部７２はセルサーチ部６１に接続されている。ＲＳＳＩ部７２は、セルサーチ部６１によるセルサーチによって検出されるセルの受信信号に基づいてＲＳＳＩを測定する。ＲＳＳＩ部７２は、セルサーチ部６１によるセルサーチによって検出されるセルの受信信号のうちのＲＳがマッピングされるＲＥの電力Ｐ1を測定する。ＲＳがマッピングされるＲＥは第１サブキャリアに対応する。
【００６７】
ＲＳＳＩ部７２は、セルサーチ部６１によるセルサーチによって検出されるセルの受信信号のうちのＲＳ以外の信号がマッピングされるＲＥの電力Ｐ2を測定する。ＲＳ以外の信号がマッピングされるＲＥは第２サブキャリアに対応する。ＲＳＳＩ部７２は受信電力測定部の一例である。図１３にＲＳＳＩ部７２の一例を示す。
【００６８】
図１３は、実施の形態にかかる移動通信端末におけるＲＳＳＩ部の第１の例を示す図である。図１３に示すように、ＲＳＳＩ部７２は、複数の複素演算部９１、第１のΣ演算部９２、第２のΣ演算部９３、１／Ｎ1演算部９４、加算部９５及び１／Ｎ2演算部９６を有する。ＲＳＳＩ部７２には周波数領域の信号が入力される。
【００６９】
図１３には、複素演算部９１は「｜｜2」として示されている。また、第１のΣ演算部９２及び第２のΣ演算部９３は「Σ」として示されている。また、１／Ｎ1演算部９４及び１／Ｎ2演算部９６はそれぞれ「１／Ｎ1」及び「１／Ｎ2」として示されている。
【００７０】
各複素演算部９１はセルサーチ部６１に接続されている。各複素演算部９１は、入力される周波数領域の信号のうちの対応する複素信号の絶対値の二乗を計算する。
【００７１】
第１のΣ演算部９２は、ＲＳがマッピングされるＲＥに対応する複素演算部９１に接続されている。ＲＳがマッピングされるＲＥの位置は、セルサーチ部６１から報告されるセルＩＤによってわかる。第１のΣ演算部９２は、ＲＳがマッピングされるＲＥの電力２２の総和を求める。
【００７２】
第２のΣ演算部９３は、ＲＳ以外の信号がマッピングされるＲＥに対応する複素演算部９１に接続されている。第２のΣ演算部９３は、ＲＳ以外の信号がマッピングされるＲＥの電力２３の総和を求める。
【００７３】
なお、ＲＳ以外の信号がマッピングされるＲＥを、ＲＳがマッピングされるＲＥごとに区切ってグループ分けし、ＲＳ以外の信号がマッピングされるＲＥのグループごとにＲＳ以外の信号がマッピングされるＲＥの電力２３の和を求め、グループごとの電力の総和を求めるようにしてもよい。例えばＬＴＥシステムでは、ＲＳがマッピングされる隣り合う２個のＲＥの間に、ＲＳ以外の信号がマッピングされるＲＥが５個連なる。従って、ＲＳがマッピングされる隣り合う２個のＲＥの間の５個のＲＥで一グループが構成される。
【００７４】
１／Ｎ1演算部９４は第１のΣ演算部９２に接続されている。１／Ｎ1演算部９４は、第１のΣ演算部９２から出力される、ＲＳがマッピングされるＲＥの電力２２の総和の値を、ＲＳがマッピングされるＲＥの数Ｎ1で除算することによって、ＲＳがマッピングされるＲＥの電力Ｐ1を求める。つまり、ＲＳがマッピングされるＲＥの電力Ｐ1は、ＲＳがマッピングされる複数のＲＥの電力の平均値である。
【００７５】
１／Ｎ2演算部９６は第２のΣ演算部９３に接続されている。１／Ｎ2演算部９６は、第２のΣ演算部９３から出力される、ＲＳ以外の信号がマッピングされるＲＥの電力の総和の値を、ＲＳ以外の信号がマッピングされるＲＥの数Ｎ2で除算することによって、ＲＳ以外の信号がマッピングされるＲＥの電力Ｐ2を求める。つまり、ＲＳ以外の信号がマッピングされるＲＥの電力Ｐ2は、ＲＳ以外の信号がマッピングされる複数のＲＥの電力の平均値である。
【００７６】
加算部９５は第１のΣ演算部９２及び第２のΣ演算部９３に接続されている。加算部９５は、第１のΣ演算部９２から出力される、ＲＳがマッピングされるＲＥの電力２２の総和の値と、第２のΣ演算部９３から出力される、ＲＳ以外の信号がマッピングされるＲＥの電力の総和の値とを加算することによって、ＲＳＳＩの測定値を求める。
【００７７】
図１１に示すように、ＲＳＲＱ部７３はＲＳＲＰ部７１及びＲＳＳＩ部７２に接続されている。ＲＳＲＱ部７３は、ＲＳＲＰ部７１から出力されるＲＳＲＰの測定値及びＲＳＳＩ部７２から出力されるＲＳＳＩの測定値に基づいてＲＳＲＱを測定する。ＲＳＲＱ部７３は、例えばＲＳＲＰの測定値、ＲＳＳＩの測定値及び測定帯域におけるＲＢの数Ｎを用いて上記（１）式を計算することによって、ＲＳＲＱの測定値を求めてもよい。ＲＳＲＱ部７３は受信信号品質測定部の一例である。なお、測定帯域におけるＲＢの数Ｎは固定値であるため、上記（１）式においてＮを１としたときの値をＲＳＲＱの測定値として用いてもよい。
【００７８】
セル判定部７４はＲＳＳＩ部７２及びＲＳＲＱ部７３に接続されている。セル判定部７４は、ＲＳＳＩ部７２から出力される電力Ｐ1及び電力Ｐ2に基づいてオフセット値Δを求める。ＲＳがマッピングされる隣り合う２個のＲＥの間に、ＲＳ以外の信号がマッピングされるＲＥがｍ個連なる場合、セル判定部７４は、例えば次の（２）式を計算することによって、オフセット値Δを求めてもよい。
【００７９】
【数２】
2014123856.tif 000004
【００８０】
上記（２）式において、分子は、ＲＳがマッピングされるＲＥの電力が［ｍ＋１］個続く場合、すなわちフルロードケースの場合の［ｍ＋１］個分のＲＥの電力である。分母は、ＲＳがマッピングされる１個分のＲＥの電力とＲＳ以外の信号がマッピングされる［ｍ＋１］個分のＲＥの電力との和である。すなわち、分母は実際の受信状況を表している。フルロードケースではΔは０ｄＢとなり、ＤＴＸケースではΔは０ｄＢよりも大きくなる。
【００８１】
例えばＬＴＥシステムでは、ＲＳがマッピングされる隣り合う２個のＲＥの間に、ＲＳ以外の信号がマッピングされるＲＥが５個続く。つまり，上記（２）式においてｍが５となる。従って、ＬＴＥシステムの場合には、セル判定部７４は、例えば次の（３）式を計算することによって、オフセット値Δを求めることができる。
【００８２】
【数３】
2014123856.tif 000005
【００８３】
セル判定部７４は、オフセット値Δを用いて閾値を補正する。セル判定部７４は、例えば閾値にオフセット値Δを加算することによって、閾値の補正値を求めてもよい。なお、ＲＳＲＱの測定値を、上記（１）式においてＮを１としたときの値にする場合には、閾値及びオフセット値Δは、上記（１）式においてＮを１としたときの値に対応する値となる。
【００８４】
セル判定部７４は、ＲＳＲＱの測定値を閾値の補正値と比較して、受信信号に対応すると推定されるセルが有効であるか無効であるかを判定する。セル判定部７４は、例えばＲＳＲＱの測定値が閾値の補正値以上である場合に有効なセル、すなわち存在するセルであると判定し、ＲＳＲＱの測定値が閾値の補正値よりも小さい場合に無効なセル、すなわち存在しないセルであると判定してもよい。
【００８５】
報告値生成部７５はＲＳＲＰ部７１、ＲＳＲＱ部７３及びセル判定部７４に接続されている。報告値生成部７５は、セル判定部７４によって存在すると判定されるセルについてのみ、受信電力や受信品質の測定結果を制御部６３（図１０参照）へ報告する報告値を生成し、その報告値を制御部６３（図１０参照）へ報告する制御を行う。
【００８６】
レベル測定部６２において、ＲＳＲＰ部７１、ＲＳＳＩ部７２、ＲＳＲＱ部７３、セル判定部７４及び報告値生成部７５は、デジタル回路によって実現されてもよいし、ＤＳＰやＣＰＵの処理によって実現されてもよい。あるいは、ＲＳＲＰ部７１、ＲＳＳＩ部７２、ＲＳＲＱ部７３、セル判定部７４及び報告値生成部７５の一部がデジタル回路によって実現され、残りがＤＳＰやＣＰＵの処理によって実現されてもよい。例えば、ＲＳＲＰ部７１、ＲＳＳＩ部７２及びＲＳＲＱ部７３がデジタル回路によって実現され、セル判定部７４及び報告値生成部７５がＤＳＰやＣＰＵの処理によって実現されてもよい。
【００８７】
・セル判定方法の第２の例
図１４は、実施の形態にかかるセル判定方法の第２の例を示す図である。図１４に示すセル判定方法は、例えば図１１に示す移動通信端末のレベル測定部によって実施されてもよい。本実施例では、図１４に示すセル判定方法が図１１に示す移動通信端末のレベル測定部によって実施されるとして説明する。
【００８８】
図１４に示すように、図１１に示す移動通信端末のレベル測定部６２によってセル判定方法が開始されると、まず、移動通信端末は、セルサーチによって検出されたセルに対して、ＲＳＲＰ部７１によって、受信信号に含まれるＲＳがマッピングされるＲＥの電力を測定し、ＲＳＲＰの測定値を算出する（ステップＳ１１）。
【００８９】
また、移動通信端末は、ＲＳＳＩ部７２によって、受信信号のうちのＲＳがマッピングされるＲＥの電力を測定し、ＲＳがマッピングされるＲＥの電力Ｐ1を算出する。また、移動通信端末は、ＲＳＳＩ部７２によって、受信信号のうちのＲＳ以外の信号がマッピングされるＲＥの電力を測定し、ＲＳ以外の信号がマッピングされるＲＥの電力Ｐ2を算出する。
【００９０】
そして、移動通信端末は、ＲＳＳＩ部７２によって、ＲＳがマッピングされるＲＥの電力Ｐ1とＲＳ以外の信号がマッピングされるＲＥの電力Ｐ2とを加算してＲＳＳＩの測定値を算出する（ステップＳ１２）。なお、ステップＳ１１とステップＳ１２とは、いずれが先でもよいし、同時でもよい。
【００９１】
次いで、移動通信端末は、ＲＳＲＱ部７３によって、ＲＳＲＰの測定値、ＲＳＳＩの測定値及び測定帯域におけるＲＢの数Ｎを用いて例えば上記（１）式を計算することによって、ＲＳＲＱの測定値を算出する（ステップＳ１３）。なお、測定帯域におけるＲＢの数Ｎは固定値であるため、上記（１）式においてＮを１としたときの値をＲＳＲＱの測定値として用いてもよい。
【００９２】
また、移動通信端末は、例えばセル判定部７４によって、ＲＳがマッピングされるＲＥの電力Ｐ1、ＲＳ以外の信号がマッピングされるＲＥの電力Ｐ2、及びＲＳ以外の信号がマッピングされるＲＥの数ｍを用いて例えば上記（２）式を計算する。それによって、移動通信端末は、オフセット値Δを算出する（ステップＳ１４）。
【００９３】
そして、移動通信端末は、例えばセル判定部７４によって、例えば閾値Ｘにオフセット値Δを加算して閾値の補正値Ｙを算出する（ステップＳ１５）。なお、ステップＳ１３とステップＳ１４〜ステップＳ１５とは、いずれが先でもよいし、同時でもよい。
【００９４】
次いで、移動通信端末は、例えばセル判定部７４によって、ＲＳＲＱの測定値を閾値の補正値Ｙと比較し、ＲＳＲＱの測定値が閾値の補正値Ｙよりも小さいか否かを判定する（ステップＳ１６）。ＲＳＲＱの測定値が閾値の補正値Ｙよりも小さい場合（ステップＳ１６：Ｙｅｓ）、移動通信端末は、セル判定部７４によって、セルサーチによって検出されたセルが無効であると判定する（ステップＳ１７）。移動通信端末は、無効なセルに対して制御部６３へ報告せずに、一連のセル判定方法を終了する。
【００９５】
一方、ＲＳＲＱの測定値が閾値の補正値Ｙよりも小さくない場合（ステップＳ１６：Ｎｏ）、移動通信端末は、セル判定部７４によって、セルサーチによって検出されたセルが有効であると判定する。そして、移動通信端末は、報告値生成部７５によって、報告値を生成して制御部６３へ報告し（ステップＳ１８）、一連のセル判定方法を終了する。
【００９６】
セル判定部７４は、閾値を補正する代わりに、ＲＳがマッピングされるＲＥの電力Ｐ1及びＲＳ以外の信号がマッピングされるＲＥの電力Ｐ2に基づいて、ＲＳＲＱの測定値を補正してもよい。そして、セル判定部７４は、ＲＳＲＱの測定値の補正値を閾値Ｘと比較することによって、セルの有効または無効を判定してもよい。この場合のセル判定方法を第３の例として説明する。
【００９７】
・セル判定方法の第３の例
図１５は、実施の形態にかかるセル判定方法の第３の例を示す図である。図１５に示すセル判定方法は、例えば図１１に示す移動通信端末のレベル測定部６２によって実施されてもよい。本実施例では、図１５に示すセル判定方法が、図１１に示す移動通信端末のレベル測定部６２によって実施されるとして説明する。
【００９８】
図１５に示すように、図１１に示す移動通信端末のレベル測定部６２によってセル判定方法が開始されると、移動通信端末は、図１４に示すセル判定方法のステップＳ１１〜ステップＳ１４と同様の処理を行う。すなわち、移動通信端末は、ＲＳＲＰの測定値、ＲＳがマッピングされるＲＥの電力Ｐ1、ＲＳ以外の信号がマッピングされるＲＥの電力Ｐ2、ＲＳＳＩの測定値、ＲＳＲＱの測定値及びオフセット値Δを算出する（ステップＳ２１〜ステップＳ２４）。
【００９９】
なお、ステップＳ２１とステップＳ２２とは、いずれが先でもよいし、同時でもよい。また、ステップＳ２３とステップＳ２４とは、いずれが先でもよいし、同時でもよい。
【０１００】
次いで、移動通信端末は、例えばセル判定部７４によって、例えばＲＳＲＱの測定値からオフセット値Δを減算してメトリックＭ1を算出する（ステップＳ２５）。
【０１０１】
次いで、移動通信端末は、例えばセル判定部７４によって、メトリックＭ1を閾値Ｘと比較し、メトリックＭ1が閾値Ｘよりも小さいか否かを判定する（ステップＳ２６）。メトリックＭ1が閾値Ｘよりも小さい場合（ステップＳ２６：Ｙｅｓ）、移動通信端末は、セル判定部７４によって、セルサーチによって検出されたセルが無効であると判定する（ステップＳ２７）。移動通信端末は、無効なセルに対して制御部６３へ報告せずに、一連のセル判定方法を終了する。
【０１０２】
一方、メトリックＭ1が閾値Ｘよりも小さくない場合（ステップＳ２６：Ｎｏ）、移動通信端末は、セル判定部７４によって、セルサーチによって検出されたセルが有効であると判定する。そして、移動通信端末は、報告値生成部７５によって、報告値を生成して制御部６３へ報告し（ステップＳ２８）、一連のセル判定方法を終了する。
【０１０３】
ところで、セル判定部７４は、セルの有効または無効を判定する際に、ＲＳＲＱの測定値の代わりに、ＲＳＲＰの測定値とＲＳがマッピングされるＲＥの電力Ｐ1との比の値を用いてもよい。すなわち、セル判定部７４は、例えばＲＳＲＰの測定値を電力Ｐ1で除算してメトリックＭ2を算出してもよい。
【０１０４】
そして、セル判定部７４は、メトリックＭ2を、メトリックＭ2に応じた閾値Ｚと比較することによって、セルの有効または無効を判定してもよい。この場合のＲＳＳＩ部７２を第２の例として説明し、セル判定方法を第４の例として説明する。
【０１０５】
図１６は、実施の形態にかかる移動通信端末におけるＲＳＳＩ部の第２の例を示す図である。図１６に示すように、ＲＳＳＩ部７２の第２の例では、図１３に示す第１の例において１／Ｎ2演算部９６がなく、ＲＳ以外の信号がマッピングされるＲＥの電力Ｐ2が出力されないようになっている。ＲＳＳＩ部７２の第２の例におけるその他の構成は第１の例と同じであるため、重複する説明を省略する。
【０１０６】
・セル判定方法の第４の例
図１７は、実施の形態にかかるセル判定方法の第４の例を示す図である。図１７に示すセル判定方法は、例えば図１１に示す移動通信端末において図１６に示すＲＳＳＩ部７２を有するレベル測定部６２によって実施されてもよい。本実施例では、図１７に示すセル判定方法が、図１１に示す移動通信端末において図１６に示すＲＳＳＩ部７２を有するレベル測定部６２によって実施されるとして説明する。
【０１０７】
図１７に示すように、図１１に示す移動通信端末のレベル測定部６２によってセル判定方法が開始されると、移動通信端末は、図１４に示すセル判定方法のステップＳ１１，ステップＳ１２と同様の処理を行う。ただし、ＲＳＳＩ部７２は、ＲＳ以外の信号がマッピングされるＲＥの電力Ｐ2及びＲＳＳＩの測定値の算出は行わなくてよい。
【０１０８】
つまり、移動通信端末は、ＲＳＲＰの測定値を算出し（ステップＳ３１）、ＲＳがマッピングされるＲＥの電力Ｐ1を算出する（ステップＳ３２）。なお、ステップＳ３１とステップＳ３２とは、いずれが先でもよいし、同時でもよい。
【０１０９】
次いで、移動通信端末は、例えばセル判定部７４によって、例えばＲＳＲＰの測定値を電力Ｐ1で除算してメトリックＭ2を算出する（ステップＳ３３）。
【０１１０】
次いで、移動通信端末は、例えばセル判定部７４によって、メトリックＭ2を閾値Ｚと比較し、メトリックＭ2が閾値Ｚよりも小さいか否かを判定する（ステップＳ３４）。メトリックＭ2が閾値Ｚよりも小さい場合（ステップＳ３４：Ｙｅｓ）、移動通信端末は、セル判定部７４によって、セルサーチによって検出されたセルが無効であると判定する（ステップＳ３５）。移動通信端末は、無効なセルに対して制御部６３へ報告せずに、一連のセル判定方法を終了する。
【０１１１】
一方、メトリックＭ2が閾値Ｚよりも小さくない場合（ステップＳ３４：Ｎｏ）、移動通信端末は、セル判定部７４によって、セルサーチによって検出されたセルが有効であると判定する。そして、移動通信端末は、報告値生成部７５によって、報告値を生成して制御部６３へ報告し（ステップＳ３６）、一連のセル判定方法を終了する。
【０１１２】
図９〜図１３もしくは図１６に示す移動通信端末、または図１４、図１５もしくは図１７に示すセル判定方法によれば、ＬＴＥシステムにおいて、存在しないセルを有効なセルであると誤判定することを防ぐことができる。従って、存在しないセルの受信品質の測定結果を基地局へ報告するのを防ぐことができるため、アップリンクの無線リソースが無駄に使われるのを抑えることができる。また、図１６に示す移動通信端末または図１７に示すセル判定方法によれば、ＤＴＸケースにおけるＲＳ以外の信号がマッピングされるＲＥの電力Ｐ2が考慮されないため、フルロードケース及びＤＴＸケースにおいて同じ閾値Ｚを用いることができる。
【０１１３】
図９〜図１３に示す移動通信端末において、図１４に示すセル判定方法を実施する場合と、閾値Ｘを補正しないでＲＳＲＱの測定値を閾値Ｘと比較する場合とで、計算機シミュレーションにより評価した結果について説明する。図１４に示すセル判定方法を実施する場合を「実施例」とし、ＲＳＲＱの測定値を閾値Ｘと比較する場合を「比較例」として説明する。
【０１１４】
フルロードケースの場合、比較例及び実施例ともに、存在しないセルを有効なセルとして判定する確率は０％であった。ＤＴＸケースの場合、存在しないセルを有効なセルとして判定する確率は、比較例では６６．３％であったのに対して、実施例では０％であった。
【０１１５】
上述した各実施例を含む実施形態に関し、さらに以下の付記を開示する。
【０１１６】
（付記１）受信信号に含まれるパイロット信号の電力を測定するパイロット信号電力測定部と、前記受信信号の受信電力、前記受信信号のうちの前記パイロット信号が配置される第１サブキャリアの電力、及び前記受信信号のうちの前記パイロット信号以外の信号が配置される第２サブキャリアの電力を測定する受信電力測定部と、前記パイロット信号の電力の測定値及び前記受信信号の受信電力の測定値に基づいて前記受信信号の品質を測定する受信信号品質測定部と、予め設定された閾値と、前記第１サブキャリアの電力の測定値及び前記第２サブキャリアの電力の測定値に基づいて前記閾値を補正し、前記受信信号の品質の測定値を前記閾値の補正値と比較するか、または前記第１サブキャリアの電力の測定値及び前記第２サブキャリアの電力の測定値に基づいて前記受信信号の品質の測定値を補正し、前記受信信号の品質の測定値の補正値を前記閾値と比較することによって、前記受信信号に対応すると推定されるセルが有効であるか無効であるかを判定するセル判定部と、を備えることを特徴とする移動通信端末。
【０１１７】
（付記２）前記受信信号の品質の測定値は、前記受信信号の受信電力の測定値に対する前記パイロット信号の電力の測定値の値であるか、または前記受信信号の受信電力の測定値に対する前記パイロット信号の電力の測定値の値に測定帯域におけるサブキャリアの数を乗じた値であることを特徴とする付記１に記載の移動通信端末。
【０１１８】
（付記３）前記第１サブキャリアの電力の測定値は、測定帯域における前記パイロット信号が配置されるサブキャリアの電力の総和を前記パイロット信号が配置されるサブキャリアの数で除した値であり、前記第２サブキャリアの電力の測定値は、測定帯域において前記パイロット信号以外の信号が配置されるサブキャリアの電力の総和を前記パイロット信号以外の信号が配置されるサブキャリアの数で除した値であることを特徴とする付記１または２に記載の移動通信端末。
【０１１９】
（付記４）受信信号に含まれるパイロット信号の電力を測定するパイロット信号電力測定部と、前記受信信号の受信電力、及び前記受信信号のうちの前記パイロット信号が配置されるサブキャリアの電力を測定する受信電力測定部と、前記パイロット信号の電力の測定値及び前記受信信号の受信電力の測定値に基づいて前記受信信号の品質を測定する受信信号品質測定部と、予め設定された閾値と、前記パイロット信号が配置されるサブキャリアの電力の測定値に対する前記パイロット信号の電力の測定値の値を前記閾値と比較して、前記受信信号に対応すると推定されるセルが有効であるか無効であるかを判定するセル判定部と、を備えることを特徴とする移動通信端末。
【０１２０】
（付記５）前記パイロット信号が配置されるサブキャリアの電力の測定値は、測定帯域における前記パイロット信号が配置されるサブキャリアの電力の総和を前記パイロット信号が配置されるサブキャリアの数で除した値であることを特徴とする付記４に記載の移動通信端末。
【０１２１】
（付記６）受信信号に含まれるパイロット信号の電力、前記受信信号の受信電力、前記受信信号のうちの前記パイロット信号が配置される第１サブキャリアの電力、及び前記受信信号のうちの前記パイロット信号以外の信号が配置される第２サブキャリアの電力を測定し、前記パイロット信号の電力の測定値及び前記受信信号の受信電力の測定値に基づいて前記受信信号の品質を測定し、前記第１サブキャリアの電力の測定値及び前記第２サブキャリアの電力の測定値に基づいて、予め設定された閾値を補正し、前記受信信号の品質の測定値を前記閾値の補正値と比較するか、または前記第１サブキャリアの電力の測定値及び前記第２サブキャリアの電力の測定値に基づいて前記受信信号の品質の測定値を補正し、前記受信信号の品質の測定値の補正値を、予め設定された閾値と比較することによって、前記受信信号に対応すると推定されるセルが有効であるか無効であるかを判定することを特徴とするセル判定方法。
【０１２２】
（付記７）前記受信信号の品質の測定値は、前記受信信号の受信電力の測定値に対する前記パイロット信号の電力の測定値の値であるか、または前記受信信号の受信電力の測定値に対する前記パイロット信号の電力の測定値の値に測定帯域におけるサブキャリアの数を乗じた値であることを特徴とする付記６に記載のセル判定方法。
【０１２３】
（付記８）前記第１サブキャリアの電力の測定値は、測定帯域における前記パイロット信号が配置されるサブキャリアの電力の総和を前記パイロット信号が配置されるサブキャリアの数で除した値であり、前記第２サブキャリアの電力の測定値は、測定帯域において前記パイロット信号以外の信号が配置されるサブキャリアの電力の総和を前記パイロット信号以外の信号が配置されるサブキャリアの数で除した値であることを特徴とする付記６または７に記載のセル判定方法。
【０１２４】
（付記９）受信信号に含まれるパイロット信号の電力、前記受信信号の受信電力、及び前記受信信号のうちの前記パイロット信号が配置されるサブキャリアの電力を測定し、前記パイロット信号の電力の測定値及び前記受信信号の受信電力の測定値に基づいて前記受信信号の品質を測定し、前記パイロット信号が配置されるサブキャリアの電力の測定値に対する前記パイロット信号の電力の測定値の値を、予め設定された閾値と比較して、前記受信信号に対応すると推定されるセルが有効であるか無効であるかを判定することを特徴とするセル判定方法。
【０１２５】
（付記１０）前記パイロット信号が配置されるサブキャリアの電力の測定値は、測定帯域における前記パイロット信号が配置されるサブキャリアの電力の総和を前記パイロット信号が配置されるサブキャリアの数で除した値であることを特徴とする付記９に記載のセル判定方法。
【符号の説明】
【０１２６】
１  パイロット信号電力測定部
２  受信電力測定部
３  受信信号品質測定部
４  セル判定部
【図１】
2014123856.tif 000006
【図２】
2014123856.tif 000007
【図３】
2014123856.tif 000008
【図４】
2014123856.tif 000009
【図５】
2014123856.tif 000010
【図６】
2014123856.tif 000011
【図７】
2014123856.tif 000012
【図８】
2014123856.tif 000013
【図９】
2014123856.tif 000014
【図１０】
2014123856.tif 000015
【図１１】
2014123856.tif 000016
【図１２】
2014123856.tif 000017
【図１３】
2014123856.tif 000018
【図１４】
2014123856.tif 000019
【図１５】
2014123856.tif 000020
【図１６】
2014123856.tif 000021
【図１７】
2014123856.tif 000022